(57)【要約】【課題】キー権限を容易に貸し出すことができるキー権限貸出システムを提供する。【解決手段】第２端末１３から通信端末２１にサブキー権限を付与したい場合は、メインキー権限のリクエストＳrqを第２端末１３から第１端末５に送信する。第１端末５は、第２端末１３からリクエストＳrqを受信すると、使用制限を加えたメインキー権限を第２端末１３に付与する。第２端末１３は、第１端末５から付与された使用制限付きのメインキー権限によって作動することにより、通信端末２１にサブキー権限を付与して、通信端末２１を電子キーの１つとして動作可能とする。【選択図】図１
2015031035.tif 000002
【特許請求の範囲】
【請求項１】
キー操作対象を制限なく操作可能な第１端末は、当該第１端末においてキー権限の貸し出しに関する動作を行う第１登録部を備え、
前記第１端末よりも位置付けの低い第２端末は、当該第２端末においてキー権限の貸し出しに関する動作を行う第２登録部を備え、
前記第１登録部は、使用制限が設定されたメインキー権限を前記第１端末から前記第２端末に付与することにより、前記第２端末を制限付きであれ、メインキーのように作動可能とし、
前記第２登録部は、前記第１登録部によって貸し出された前記メインキー権限により作動して、サブキー権限を通信端末に付与することにより、当該通信端末をキーとして使用可能とする
ことを特徴とするキー権限貸出システム。
【請求項２】
前記第１登録部は、前記第２端末からキー権限貸し出しのリクエストを取得したとき、キー権限の登録動作を開始する
ことを特徴とする請求項１に記載のキー権限貸出システム。
【請求項３】
前記第１端末は、キー操作対象を制限なく操作可能なメインキーであり、
前記第２端末は、前記キー操作対象を制限状態下で使用可能なサブキーである
ことを特徴とする請求項１又は２に記載のキー権限貸出システム。
【請求項４】
前記第１登録部は、キー権限の登録動作時、いまキー権限の登録対象となっている前記通信端末の正当性を確認し、当該通信端末が正当であると確認できたときのみ、登録動作を実行する
ことを特徴とする請求項１〜３のうちいずれか一項に記載のキー権限貸出システム。
【請求項５】
前記第２登録部は、キー権限の登録動作時、いまキー権限の登録対象となっている前記通信端末の識別情報を前記第１端末に通知し、
前記第１登録部は、前記第２登録部から取得した前記識別情報を基に、いまキー権限の登録対象となっている前記通信端末の正当性を確認する
ことを特徴とする請求項４に記載のキー権限貸出システム。
【発明の詳細な説明】
【技術分野】
【０００１】
本発明は、キー権限を他の端末に貸し出すキー権限貸出システムに関する。
【背景技術】
【０００２】
従来、車両を家人や第三者等に貸し出すにあたり、電子キーのキー権限を車両貸出相手に貸与するキー権限貸出システムが周知である（特許文献１等参照）。このキー権限貸出システムとしては、例えば携帯電話を電子キーとして使用するシステムにおいて、メインキー権限が登録されている携帯電話から、車両貸出相手の携帯電話にサブキー権限を付与する技術が検討されている。サブキー権限とは、車両の使用が制限された状態で車両を操作することができる権限である。
【先行技術文献】
【特許文献】
【０００３】
【特許文献１】特開２００５−２７３２６４号公報
【発明の概要】
【発明が解決しようとする課題】
【０００４】
ところで、車両を借りた人が、その車両を更に他の人に貸し出す場合がある。このとき、メインキー権限が登録されている携帯電話を所持するユーザに問い合せ、この携帯電話をわざわざ用意する必要があるので、車両の貸し出し作業に手間がかかってしまう問題があった。
【０００５】
本発明の目的は、キー権限を容易に貸し出すことができるキー権限貸出システムを提供することにある。
【課題を解決するための手段】
【０００６】
前記問題点を解決するキー権限貸出システムは、キー操作対象を制限なく操作可能な第１端末は、当該第１端末においてキー権限の貸し出しに関する動作を行う第１登録部を備え、前記第１端末よりも位置付けの低い第２端末は、当該第２端末においてキー権限の貸し出しに関する動作を行う第２登録部を備え、前記第１登録部は、使用制限が設定されたメインキー権限を前記第１端末から前記第２端末に付与することにより、前記第２端末を制限付きであれ、メインキーのように作動可能とし、前記第２登録部は、前記第１登録部によって貸し出された前記メインキー権限により作動して、サブキー権限を通信端末に付与することにより、当該通信端末をキーとして使用可能とする。
【０００７】
本構成によれば、使用制限があるメインキー権限を第１端末から第２端末に付与することが可能である。このため、第２端末は、制限付きであれ、メインキーのように作動することが可能である。第２端末を所持するユーザが、通信端末にサブキー権限を付与したい状況となったとき、第２端末自体からサブキー権限を通信端末に付与して、通信端末をキーとして使用可能にできる。よって、第２端末のユーザが通信端末にサブキー権限を付与するとき、メインキー位置付けの第１端末をわざわざ手元に用意する必要がない。これは、キー権限を容易に貸し出すのに有利である。
【０００８】
前記キー権限貸出システムにおいて、前記第１登録部は、前記第２端末からキー権限貸し出しのリクエストを取得したとき、キー権限の登録動作を開始することが好ましい。この構成によれば、第２端末からリクエストを取得することを契機に、第１端末は第２端末へのメインキー権限の付与の動作を実行する。よって、例えばメインキー権限を要求していない第２端末に、メインキー権限を付与してしまう状況が生じ難い。
【０００９】
前記キー権限貸出システムにおいて、前記第１端末は、キー操作対象を制限なく操作可能なメインキーであり、前記第２端末は、前記キー操作対象を制限状態下で使用可能なサブキーであることが好ましい。この構成によれば、サブキー位置付けの第２端末では、本来、通信端末にサブキー権限を付与することはできないが、第１端末から第２端末にメインキー権限を付与することにより、第２端末でもサブキー権限を付与可能とする。よって、第１端末のみならず第２端末でも、サブキー権限であれ、キー権限を付与することが可能となるので、利便性がよくなる。
【００１０】
前記キー権限貸出システムにおいて、前記第１登録部は、キー権限の登録動作時、いまキー権限の登録対象となっている前記通信端末の正当性を確認し、当該通信端末が正当であると確認できたときのみ、登録動作を実行することが好ましい。この構成によれば、第１端末は通信端末の正当性を確認した上で、メインキー権限を第２端末に付与するので、セキュリティ性の確保に一層有利となる。
【００１１】
前記キー権限貸出システムにおいて、前記第２登録部は、キー権限の登録動作時、いまキー権限の登録対象となっている前記通信端末の識別情報を前記第１端末に通知し、
前記第１登録部は、前記第２登録部から取得した前記識別情報を基に、いまキー権限の登録対象となっている前記通信端末の正当性を確認することが好ましい。この構成によれば、通信端末の正当性を確認するにあたり、キー権限の付与動作時に通信端末から取得した識別情報を基に通信端末の正当性を判断するので、通信端末の正当性を、精度よく判断することが可能となる。
【発明の効果】
【００１２】
本発明によれば、キー権限を容易に貸し出すことができる。
【図面の簡単な説明】
【００１３】
【図１】一実施形態のキー権限貸出システムの構成図。
【図２】電子キーシステムの概要図。
【図３】キー権限貸し出しのシチュエーション図。
【図４】キー権限貸し出しの手順を示すフローチャート。
【図５】キー権限貸し出し時に通信端末の識別情報の正当性を確認する例の概要図。
【発明を実施するための形態】
【００１４】
以下、キー権限貸出システムの一実施形態を図１〜図５に従って説明する。
図２に示すように、キー操作対象（以下、車両１と記す）は、電子キー２と無線によりＩＤ照合を行う電子キーシステム３を備える。電子キーシステム３は、車両１からの通信を契機に狭域無線によりＩＤ照合を行うキー操作フリーシステムや、電子キー２からの通信を契機に狭域無線によりＩＤ照合を行うワイヤレスキーシステムや、近距離無線によりＩＤ照合を行う近距離無線通信システムなどがある。もちろん、これら以外の方式を使用したキーシステムでも構わない。電子キーシステム３でＩＤ照合が成立すると、車載機器（車両ドアの施解錠やエンジン始動等）の作動が許可又は実行される。
【００１５】
図１に示すように、電子キーシステム３は、メインキー（電子キー２）のキー権限をメインキーから他の端末に貸し出して、他の端末をキーとして作動可能とするキー権限貸出機能（キー権限貸出システム４）を備える。キー権限貸出システム４は、例えばメインキー位置付けのキーを第１端末５としたとき、この第１端末５からキー権限を他の端末に付与して、他の端末でも車両１の操作を可能とする。メインキーは、制限なく車両１を操作することができるキーである。
【００１６】
第１端末５は、第１端末５の動作を制御する端末制御部６と、各種画面を表示してタッチ操作が可能なタッチパネル７と、各種スイッチからなる操作部８と、各種電波を送受信する通信部９とを備える。第１端末５は、例えば高機能携帯電話であることが好ましい。第１端末５は、端末制御部６のメモリ１０にメインキー権限情報１１が書き込まれることにより、車両使用が全て許可されたメインキーとして作動可能である。メインキー権限情報１１は、例えば電子キーＩＤや、メインキーとして作動可能であることのステータス等を含む情報群である。メインキー権限情報１１は、例えばインターネット等を通じてサーバ等からダウンロードすることにより、メモリ１０に書き込み保存される。通信部９の通信方式は、例えばブルートゥース（Ｒ）やＮＦＣ（Near Field Communication）などの規格に準じた通信が好ましい。
【００１７】
端末制御部６は、第１端末５においてキー権限の貸し出し（キー権限貸出機能）に関する動作を行う第１登録部１２を備える。第１登録部１２は、例えばインターネット等を通じてサーバからキー権限貸出機能用のアプリケーションを第１端末５にダウンロードすることにより、機能が実現される。
【００１８】
第２端末１３は、第１端末５のサブキー（第１サブキー）となる電子キー２の一種である。第２端末１３は、第１端末５と同様に、端末制御部１４、タッチパネル１５、操作部１６及び通信部１７を備える。第２端末１３は、例えば高機能携帯電話であることが好ましい。第２端末１３は、端末制御部１４のメモリ１８にサブキー権限情報１９が書き込まれることにより、車両使用が一部制限されたサブキーとして作動可能である。サブキー権限情報１９は、例えば電子キーＩＤや、サブキーとして作動可能であることのステータスや、どのような制限であるのかが分かる制限情報等を含む情報群である。サブキー権限情報１９は、例えばインターネット等を通じてサーバ等からダウンロードすることにより、メモリ１８に書き込み保存される。サブキーは、車両１を制限状態下において使用することができるキーである。通信部１７は、ブルートゥース（Ｒ）やＮＦＣ等の規格に準じた通信が好ましい。
【００１９】
端末制御部１４は、第２端末１３においてキー権限の貸し出し（キー権限貸出機能）に関する動作を行う第２登録部２０を備える。第２登録部２０は、例えばインターネット等を通じてサーバからキー権限貸出機能用のアプリケーションを第２端末１３にダウンロードすることにより、機能が実現される。
【００２０】
通信端末２１は、第２端末１３のサブキー（第２サブキー）となる電子キー２の一種である。通信端末２１は、通信端末２１の動作を制御する端末制御部２２と、各種電波を送受信可能な通信部２３とを備える。通信端末２１は、例えば高機能携帯電話や電子キーなど、種々の端末が適用可能である。通信端末２１は、通常、端末制御部２２のメモリ２４にキー権限情報（サブキー権限情報１９等）が書き込まれておらず、キーとして使用できない状態となっている。通信部２３の通信方式は、例えばブルートゥース（Ｒ）やＮＦＣ等の規格に準じた通信が好ましい。
【００２１】
端末制御部２２は、通信端末２１においてキー権限の貸し出し（キー権限貸出機能）に関する動作を行う登録機能部２５を備える。登録機能部２５は、例えば第２端末１３等の他の端末からキー権限が付与されると、これをメモリ２４に書き込むことにより、キーとして作動可能となる。なお、通信端末２１は、例えば第２端末１３よりもランク付けの低い第２サブキーの位置付けのキーであることが好ましい。
【００２２】
次に、図３〜図５を用いて、キー権限貸出システム４の動作を説明する。
図３に、キー権限貸出システム４の使用シチュエーションを図示する。前提としては、車両１のメインユーザがメインキー位置付けの第１端末５を所持し、そのサブユーザ（家族等）がサブキー（第１サブキー）位置付けの第２端末１３を所持し、サブユーザが車両１をホテルマン等の第三者に貸し出す例を想定する。サブユーザは、貸し出す車両１を第三者の通信端末２１でも操作可能とするにあたり、第２端末１３からサブキー権限を通信端末２１に付与できるように、使用制限が付与されたメインキー権限情報１１を第１端末５から予め取得しておく。
【００２３】
図４に示すように、ステップ１０１において、サブユーザは、第２端末１３から通信端末２１にサブキー権限を付与するために、キー権限要求操作を第２端末１３において実行する。キー権限要求操作は、例えば第２端末１３においてタッチパネル１５に入力画面を立ち上げ、入力画面に必要事項を入力した上で、画面上の開始操作ボタンがタッチ操作される態様などが好ましい。
【００２４】
ステップ１０２において、第２登録部２０は、ステップ１０１でキー権限要求操作が入力されると、使用制限が加えられたメインキー権限の付与を要求するリクエストＳrqを、通信部１７を通じて第１端末５に送信する。なお、リクエストＳrqは、第２登録部２０が設定されている第２端末１３でなければ送信することができない。
【００２５】
ステップ１０３において、第１登録部１２は、外部からリクエストＳrqを受信すると、使用制限を加えたメインキー権限を第２端末１３に付与する。このとき、第１登録部１２は、使用制限が書き加えられたメインキー権限情報１１を、無線により第２端末１３に送信することにより、使用制限を加えたメインキー権限を第２端末１３に付与する。使用制限としては、例えばメインキー権限の使用回数、メインキー権限の使用時間（使用期間）などがある。なお、これ以外には、メインキー権限の一部のみ使用可能とする制限でもよい。
【００２６】
ステップ１０４において、第２登録部２０は、第１端末５から取得したメインキー権限情報１１をメモリ１８に書き加えることにより、第２端末１３をメインキーのように作動可能とする。これにより、第２端末１３は、制限付き（一時的）であれ、メインキーとして作動することが可能となる。ちなみに、第２端末１３は、元々、第１サブキーとして作動可能となっているが、メインキー権限を取得すると、メインキー権限を優先に作動する。第２端末１３は、制限付き（一時的）であれ、メインキーとして作動可能となることで、通信端末２１にキー権限を付与することが可能となる。
【００２７】
ステップ１０５において、サブユーザは、第２端末１３から通信端末２１にサブキー権限を付与するサブキー権限付与開始操作を、第２端末１３において実行する。サブキー権限付与開始操作は、例えば第２端末１３においてタッチパネル１５に入力画面を立ち上げ、入力画面に必要事項を入力した上で、画面上のキー権限転送開始ボタンがタッチ操作される態様などが好ましい。
【００２８】
ステップ１０６において、第２登録部２０は、サブキー権限付与開始操作が実行されると、第１端末５から付与されたメインキー権限によって作動することにより、サブキー権限を通信端末２１に付与する。このとき、第２登録部２０は、例えば第２端末１３に登録されているものと同じサブキー権限情報１９を、無線により通信端末２１に送信することにより、サブキー権限を通信端末２１に付与する。なお、第２端末１３は、制限付きのメインキー権限で作動するので、メインキー権限を通信端末２１に付与することはできない。
【００２９】
ステップ１０７において、登録機能部２５は、第２端末１３から付与されたサブキー権限情報１９をメモリ２４に書き込むことにより、通信端末２１をサブキー（第２サブキー）として作動可能とする。このため、通信端末２１は、サブキー権限に設定された制限の下、車両１を操作することが可能となる。
【００３０】
通信端末２１は、例えばサブキー権限から決まる使用可能条件を満足しなくなると、メモリ２４のサブキー権限情報１９が消去され、キーとして作動しなくなる。サブキーとしての使用可能条件は、例えば使用回数、使用期間、使用可能エリアなどが好ましい。また、第２端末１３は、例えばメインキー権限の使用制限から決まる使用可能条件を満足しなくなると、元のサブキー（第１サブキー）に戻る。メインキー権限の使用制限は、例えば使用回数、使用期限、使用可能エリアなどが好ましい。
【００３１】
図５に示すように、第１端末５は、メインキー権限を第２端末１３に付与するとき、通信端末２１の正当性を確認し、正当であると確認できたときにのみ、メインキー権限を第２端末１３に付与してもよい。通信端末２１の正当性の確認は、例えば通信端末２１の識別情報（暗号化されたデータ等）ＤｃをリクエストＳrqに付与し、識別情報Ｄｃの正当性を第１端末５で確認する方法がある。また、通信端末２１の識別情報（ＩＤコード等）Ｄｃを予め第１端末５に登録しておき、第２端末１３から受け付ける識別情報Ｄｃと第１端末５に登録された識別情報Ｄｃとが一致したときのみ、メインキー権限の付与を許可する方法でもよい。
【００３２】
本実施形態の構成によれば、以下に記載の効果を得ることができる。
（１）第２端末１３から通信端末２１にサブキー権限を付与したい場合は、メインキー権限のリクエストＳrqを第２端末１３から第１端末５に送信する。第１端末５は、第２端末１３からリクエストＳrqを受信すると、使用制限を加えたメインキー権限を第２端末１３に付与する。第２端末１３は、第１端末５から付与された使用制限付きのメインキー権限によって作動することにより、通信端末２１にサブキー権限を付与して、通信端末２１を電子キー２の１つとして動作可能とする。
【００３３】
このように、本例の場合、使用制限があるメインキー権限を、メインユーザの第１端末５からサブユーザの第２端末１３に付与することにより、制限付きであれ、第２端末１３をメインキーのように作動できるようにする。第２端末１３には、使用制限が加えられたメインキー権限が付与されるので、メインキーとして作動可能としても、自由な使用は制限される。サブユーザが通信端末２１にサブキー権限を付与したい状況となったとき、第２端末１３自体からサブキー権限を通信端末２１に付与して、通信端末２１を電子キー２の１つとして使用可能にすることができる。よって、サブユーザが通信端末２１の通信端末２１にサブキー権限を付与する状況となったとき、第１端末５をわざわざ手元に用意する必要がないので、キー権限を容易に貸し出すのに有利となる。
【００３４】
（２）第２端末１３に付与されるメインキー権限は、使用制限が加えられている。よって、第２端末１３で通信端末２１にサブキー権限を付与するにしても、第２端末１３において例えばサブキー権限の付与回数等を制限すれば、第２端末１３によって増殖できる電子キー２の数は、おのずと決まる。つまり、メインユーザは、第２端末１３によって増殖された電子キー２の数を把握することができる。
【００３５】
（３）第２端末１３からリクエストＳrqを取得することを契機に、第１端末５は第２端末１３へのメインキー権限の付与の動作を実行する。よって、例えばメインキー権限を要求していない第２端末１３に、メインキー権限を付与してしまう状況が生じ難い。
【００３６】
（４）サブキー位置付けの第２端末１３では、本来、通信端末２１にサブキー権限を付与することができないが、第１端末５から第２端末１３にメインキー権限を付与することにより、第２端末１３でもサブキー権限を付与可能とする。よって、第１端末５のみならず第２端末１３でも、サブキー権限であれ、キー権限を付与することが可能となるので、利便性がよくなる。
【００３７】
（５）第１端末５から第２端末１３にメインキー権限を付与するとき、サブキー権限の付与対象である通信端末２１の正当性が確認される。よって、キー権限の不正登録等に対するセキュリティ性を確保することができる。
【００３８】
（６）サブキー権限の付与時、通信端末２１の正当性を確認するにあたり、いまキー権限付与対象となっている通信端末２１から識別情報Ｄｃを取得し、この識別情報Ｄｃを基に通信端末２１の正当性を判断する。よって、通信端末２１の正当性を、精度よく判断することができる。
【００３９】
なお、実施形態はこれまでに述べた構成に限らず、以下の態様に変更してもよい。
・サブキーで制限される機能は、例えば車内のグローブボックスやラッゲージドアを開けることができない機能でもよい。
【００４０】
・第２端末１３は、第１端末５からメインキー権限が付与された際、サブキー権限を自動で通信端末２１に付与する動作をとってもよい。
・通信端末２１に付与するサブキー権限は、第２端末１３に登録されているものと異なる情報でもよい。
【００４１】
・第２端末１３及び通信端末２１は、ランク的に同じ位置付けのサブキーとしてもよい。
・第１端末５及び第２端末１３は、一般的な携帯電話や、通常の電子キーなど、種々の端末に変更可能である。
【００４２】
・キー権限付与時に使用する無線通信は、ＲＦＩＤ（Radio Frequency IDentification）などの種々の通信が使用可能である。
・リクエストＳrqは、第２端末１３から送信されることに限らず、例えば車両１やサーバから送信されてもよい。
【００４３】
・通信端末２１は、例えばキー機能が書き込まれていないブランクキーでもよい。
・キー操作対象は、車両１に限らず、他の機器や装置に変更可能である。
次に、上記実施形態及び別例から把握できる技術的思想について、それらの効果とともに以下に追記する。
【００４４】
（イ）前記キー権限貸出システムにおいて、前記第２端末に付与されたメインキー権限は、使用制限から決まる使用可能条件を満足しなくなると、当該メインキー権限が使用不可となる。この構成によれば、第２端末に付与されたメインキー権限はいずれ使用不可となるので、セキュリティ性の確保に有利となる。
【００４５】
（ロ）前記キー権限貸出システムにおいて、前記通信端末に付与されたサブキー権限は、使用制限から決まる使用可能条件を満足しなくなると、当該サブキー権限が使用不可となる。この構成によれば、通信端末に付与されたサブキー権限はいずれ使用不可となるので、セキュリティ性の確保に有利となる。
【００４６】
（ハ）使用制限が設定されたメインキー権限を第１端末から第２端末に付与することにより、当該第２端末を一時的であれ、メインキーのように作動可能とするステップと、前記第１端末から貸し出された前記メインキー権限により前記第２端末が作動して、サブキー権限を当該第２端末から通信端末に付与することにより、当該通信端末をキーとして使用可能とするステップとを備えたことを特徴とするキー権限貸出方法。
【００４７】
（二）前記キー権限貸出方法において、メインキー権限を要求するリクエストを第１端末が第２端末から取得するステップを備え、前記第１端末は、前記リクエストの応答として、使用制限が設定されたメインキー権限を前記第２端末に付与する。
【符号の説明】
【００４８】
１…キー操作対象の一例である車両、２…キー（電子キー）、５…第１端末、１２…第１登録部、１３…第２端末、２０…第２登録部、２１…通信端末、Ｓrq…リクエスト、Ｄｃ…識別情報。
【図１】
2015031035.tif 000003
【図２】
2015031035.tif 000004
【図３】
2015031035.tif 000005
【図４】
2015031035.tif 000006
【図５】
2015031035.tif 000007